(57)【要約】【課題】ユーザ間の品物伝達を、メッセンジャを利用してサポートする方法およびシステムを提供する。【解決手段】サポート方法は、ユーザのソーシャル関係網に関する情報を管理するステップ、品物の伝達を要求する要求者のメッセンジャアカウントと関連付いて前記ソーシャル関係網に登録された他のユーザのメッセンジャアカウントに関する情報を提供するステップ、前記提供されたメッセンジャアカウントのうちから選択されたメッセンジャアカウントを受取人のメッセンジャアカウントとして確認するステップ、およびメッセージングサービスを利用して前記受取人のメッセンジャアカウントとの会話セッションを設定し、前記設定された会話セッションを通じて前記受取人に品物の受取位置の設定を要請する要請メッセージを送信するステップを含む。【選択図】図３
2018097878.tif 000002
【特許請求の範囲】
【請求項１】
ユーザ間の品物伝達をサポートする方法であって、
ユーザのソーシャル関係網に関する情報を管理するステップ、
品物の伝達を要求する要求者のメッセンジャアカウントと関連付いて前記ソーシャル関係網に登録された他のユーザのメッセンジャアカウントに関する情報を提供するステップ、
前記提供されたメッセンジャアカウントのうちから選択されるメッセンジャアカウントを受取人のメッセンジャアカウントとして確認するステップ、および
メッセージングサービスを利用して前記受取人のメッセンジャアカウントとの会話セッションを設定し、前記設定された会話セッションを通じて前記受取人に品物の受取位置の設定を要請する要請メッセージを送信するステップ
を含む、サポート方法。
【請求項２】
前記受取位置の設定に応答し、前記要求者のメッセンジャアカウントとの会話セッションを設定し、前記設定された会話セッションを通じて前記受取位置が設定されたことを知らせるための通知メッセージを送信するステップ
をさらに含む、請求項１に記載のサポート方法。
【請求項３】
前記要求者から品物の発送位置が設定されるステップ
をさらに含む、請求項１に記載のサポート方法。
【請求項４】
前記提供されたメッセンジャアカウントのうちから選択された他の１つのメッセンジャアカウントを差出人のメッセンジャアカウントとして確認するステップ、および
前記メッセージングサービスを利用して前記差出人のアカウントとの会話セッションを設定し、前記設定された会話セッションを通じて前記差出人に品物の発送位置の設定を要請するステップ
をさらに含む、請求項１に記載のサポート方法。
【請求項５】
前記発送位置と前記受取位置に基づいて生成された注文情報を、品物の伝達を実行する実行者に提供するステップ
をさらに含む、請求項３または請求項４に記載のサポート方法。
【請求項６】
前記注文情報は、品物伝達サービスサーバに送信され、前記品物伝達サービスサーバで前記注文情報が含む発送位置および受取位置のうちの少なくとも１つに基づいて選択する実行者の端末に伝達される、請求項５に記載のサポート方法。
【請求項７】
品物の伝達完了に関する情報を、前記受取人の端末、前記実行者の端末、または前記品物伝達サービスサーバから受信するステップ、および
前記要求者に品物の伝達完了に関する情報を伝達するステップ
をさらに含む、請求項６に記載のサポート方法。
【請求項８】
コンピュータで実現される電子機器と結合してサポート方法をコンピュータに実行させるためにコンピュータで読み取り可能な記録媒体に格納されたコンピュータプログラムであって、
前記サポート方法は、
要求者のメッセンジャアカウントと関連付いてメッセージングサービスに登録された他のユーザのメッセンジャアカウントに関する情報を受信するステップ、
前記受信されたメッセンジャアカウントに関する情報を画面に表示するステップ、
前記表示されたメッセンジャアカウントのうちの１つが前記要求者から選択されるための機能を提供するステップ、
前記機能を利用して前記メッセンジャアカウントのうちから選択されたメッセンジャアカウントを受取人のメッセンジャアカウントとしてメッセンジャサーバに送信するステップ、および
前記メッセンジャサーバで前記受取人のメッセンジャアカウントに基づいて前記受取人に要請した受取位置が設定されたことを知らせる通知メッセージを前記メッセンジャサーバから受信するステップ
を含む、サポート方法。
【請求項９】
前記要求者から品物の発送位置が入力されて前記メッセンジャサーバに登録するステップ
をさらに含む、請求項８に記載のサポート方法。
【請求項１０】
前記機能を利用して前記メッセンジャアカウントのうちからさらに選択されたメッセンジャアカウントを差出人のメッセンジャアカウントとしてメッセンジャサーバにさらに送信するステップ、および
前記メッセンジャサーバで前記差出人のメッセンジャアカウントに基づいて前記差出人に要請した発送位置が設定されたことを知らせる通知メッセージを前記メッセンジャサーバから受信するステップ
をさらに含む、請求項８に記載のサポート方法。
【請求項１１】
前記発送位置と前記受取位置に基づいて前記メッセンジャサーバに品物の伝達のための注文を要請するステップ
をさらに含む、請求項９または請求項１０に記載のサポート方法。
【請求項１２】
前記発送位置と前記受取位置に基づいた距離情報、前記距離情報に基づいた予測時間、および前記距離情報に基づいた伝達費用のうちの少なくとも１つに関する情報を含む注文ページを画面に表示するステップ
をさらに含む、請求項１１に記載のサポート方法。
【請求項１３】
前記注文ページは、品物の伝達に対する進行過程に関する情報、および品物の伝達を実行する実行者との電話通話連結のためのユーザインタフェースをさらに含む、請求項１２に記載のサポート方法。
【請求項１４】
請求項１〜４または請求項８〜１０のうちのいずれか一項に記載の方法をコンピュータに実行させるためのプログラムが記録されている、コンピュータで読み取り可能な記録媒体。
【請求項１５】
ユーザ間の品物伝達をサポートするサポートシステムであって、
コンピュータで読み取り可能な命令を実行するように実現される少なくとも１つのプロセッサ
を含み、
前記少なくとも１つのプロセッサは、
ユーザのソーシャル関係網に関する情報を管理し、
品物の伝達を要求する要求者のメッセンジャアカウントと関連付いて前記ソーシャル関係網に登録された他のユーザのメッセンジャアカウントに関する情報を提供し、
前記提供されたメッセンジャアカウントのうちから選択されたメッセンジャアカウントを受取人のメッセンジャアカウントとして確認し、
メッセージングサービスを利用して前記受取人のメッセンジャアカウントとの会話セッションを設定し、前記設定された会話セッションを通じて前記受取人に品物の受取位置の設定を要請する要請メッセージを送信する、
サポートシステム。
【請求項１６】
前記少なくとも１つのプロセッサは、
前記受取位置の設定に応答し、前記要求者のメッセンジャアカウントとの会話セッションを設定し、前記設定された会話セッションを通じて前記受取位置が設定されたことを知らせるための通知メッセージを送信する、
請求項１５に記載のサポートシステム。
【請求項１７】
前記少なくとも１つのプロセッサは、
前記要求者から品物の発送位置の設定を受ける、
請求項１５に記載のサポートシステム。
【請求項１８】
前記少なくとも１つのプロセッサは、
前記提供されたメッセンジャアカウントのうちから選択される他の１つのメッセンジャアカウントを差出人のメッセンジャアカウントとして確認し、
前記メッセージングサービスを利用して前記差出人のアカウントとの会話セッションを設定し、前記設定された会話セッションを通じて前記差出人に品物の発送位置の設定を要請する、
請求項１５に記載のサポートシステム。
【請求項１９】
前記少なくとも１つのプロセッサは、
前記発送位置と前記受取位置に基づいて生成された注文情報を、品物の伝達を実行する実行者に提供する、
請求項１７または請求項１８に記載のサポートシステム。
【請求項２０】
前記注文情報は、品物伝達サービスサーバに送信され、前記品物伝達サービスサーバで前記注文情報が含む発送位置および受取位置のうちの少なくとも１つに基づいて選択する実行者の端末に伝達される、
請求項１９に記載のサポートシステム。
【発明の詳細な説明】
【技術分野】
【０００１】
以下の説明は、ユーザ間の品物伝達を、メッセンジャを利用してサポートする方法およびシステム、コンピュータで実現される電子機器と結合してサポート方法を実行させるためにコンピュータで読み取り可能な記録媒体に格納されたコンピュータプログラムに関する。
【背景技術】
【０００２】
ユーザａが所有する品物をユーザｂに伝達しようとする要求が存在する。このような要求は、差出人であるユーザａの要求である場合もあるし、受取人であるユーザｂの要求である場合もあるし、さらには別のユーザｃの要求である場合もある。例えば、ユーザａが、自身が所有する品物をユーザｂに伝達したいと願うことができる。他の例として、ユーザｂが、ユーザａが所有する品物が自身に伝達されることを願うことができる。さらに他の例として、ユーザｃが、ユーザａが所有する品物がユーザｂに伝達されることを願うことができる。
【０００３】
既存の品物伝達のためのサービスとしては、宅配（ｐａｒｃｅｌ  ｓｅｒｖｉｃｅ）やクイックサービス（ｅｘｐｒｅｓｓ  ｄｅｌｉｖｅｒｙ）、またはおつかいサービスなどが挙げられる。例えば、ユーザｂがおつかいサービスを利用してユーザａの所有する品物をユーザａから受け取り、ユーザｂ自身に伝達されることを要求することができる。特許文献１は、おつかいサービス提供方法に関し、仲介サーバである仲介者にネットワークを介して接続した顧客の端末機が、仲介者にサービスを注文すると、仲介者が多数の実行者の端末機に顧客の登録情報と注文内容を伝達し、仲介者が最初に承認した実行者を選定して注文を処理するための技術を開示している。
【０００４】
しかし、このような従来技術によって品物を伝達するためには、要求者が差出人および／または受取人の住所や必要な関連要請情報（一例として、伝達および受領するための品物に関する情報や、その他の要請事項）を要求者が認知する必要がある上に、要求者が認知している情報を手記で直接入力するか、ネットワークを介して伝達するために直接入力しなければならないという不便がある。
【先行技術文献】
【特許文献】
【０００５】
【特許文献１】韓国公開特許第１０−２０１３−００４２９８３号
【特許文献２】ＰＣＴ／ＫＲ／２０１４／０１０１６７
【特許文献３】ＵＳ２０１４／００１９５４０Ａ１
【特許文献４】ＵＳ２０１３／０３３２５４３Ａ１
【特許文献５】ＵＳ２０１３／０２６０８９３
【発明の概要】
【発明が解決しようとする課題】
【０００６】
メッセージングサービスと品物伝達サービスとの連係により、メッセージングサービス内のソーシャル関係網を利用することで、品物伝達に関して品物伝達の要求者が所望する情報（一例として、差出人および／または受取人の住所、位置、および／または連絡先）を簡単かつ便利に収集し、品物伝達サービスによって伝達できるようにサポートする方法およびシステムを提供する。
【課題を解決するための手段】
【０００７】
ユーザ間の品物伝達をサポートする方法であって、ユーザのソーシャル関係網に関する情報を管理するステップ、品物の伝達を要求する要求者のメッセンジャアカウントと関連付いて前記ソーシャル関係網に登録された他のユーザのメッセンジャアカウントに関する情報を提供するステップ、前記提供されたメッセンジャアカウントから選択されたメッセンジャアカウントを受取人のメッセンジャアカウントとして確認するステップ、およびメッセージングサービスを利用して前記受取人のメッセンジャアカウントとの会話セッションを設定し、前記設定された会話セッションを通じて前記受取人に品物の受取位置の設定を要請する要請メッセージを送信するステップを含む、サポート方法を提供する。
【０００８】
ユーザ間の品物伝達をサポートする方法であって、要求者のメッセンジャアカウントと関連付いてメッセージングサービスに登録された他のユーザのメッセンジャアカウントに関する情報を受信するステップ、前記受信されたメッセンジャアカウントに関する情報を画面に表示するステップ、前記表示されたメッセンジャアカウントのうちの１つが前記要求者から選択されるようにするための機能を提供するステップ、前記機能を利用して前記メッセンジャアカウントのうちから選択されたメッセンジャアカウントを受取人のメッセンジャアカウントとしてメッセンジャサーバに送信するステップ、および前記メッセンジャサーバで前記受取人のメッセンジャアカウントに基づいて前記受取人に要請した受取位置が設定されたことを知らせる通知メッセージを前記メッセンジャサーバから受信するステップを含む、サポート方法を提供する。
【０００９】
前記サポート方法をコンピュータに実行させるためのプログラムが記録されている、コンピュータで読み取り可能な記録媒体を提供する。
【００１０】
コンピュータと結合して上述したサポート方法をコンピュータに実行させるためにコンピュータで読み取り可能な記録媒体に格納された、コンピュータプログラムを提供する。
【００１１】
ユーザ間の品物伝達をサポートするサポートシステムであって、コンピュータで読み取り可能な命令を実行するように実現される少なくとも１つのプロセッサを含み、前記少なくとも１つのプロセッサは、ユーザのソーシャル関係網に関する情報を管理し、品物の伝達を要求する要求者のメッセンジャアカウントと関連付いて前記ソーシャル関係網に登録された他のユーザのメッセンジャアカウントに関する情報を提供し、前記提供されたメッセンジャアカウントのうちから選択されたメッセンジャアカウントを受取人のメッセンジャアカウントとして確認し、メッセージングサービスを利用して前記受取人のメッセンジャアカウントとの会話セッションを設定し、前記設定された会話セッションを通じて前記受取人に品物の受取位置の設定を要請する要請メッセージを送信する、サポートシステムを提供する。
【発明の効果】
【００１２】
メッセージングサービスと品物伝達サービスとの連係により、メッセージングサービス内のソーシャル関係網を利用することで、品物伝達に関して品物伝達の要求者が所望する情報（一例として、差出人および／または受取人の住所、位置、および／または連絡先）を簡単かつ便利に収集し、品物伝達サービスによって伝達できるようにサポートすることができる。
【図面の簡単な説明】
【００１３】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、サポートシステムの全体的な構成例を示した図である。
【図４】本発明の一実施形態における、メッセージングサービス内で品物伝達サービスを選択する例を示した図である。
【図５】本発明の一実施形態における、品物伝達サービスのための専用アプリケーションの例を説明するための図である。
【図６】本発明の一実施形態における、品物伝達サービスのためのシナリオの例を説明するための図である。
【図７】本発明の一実施形態における、品物伝達サービスのためのシナリオの例を説明するための図である。
【図８】本発明の一実施形態における、品物伝達サービスのためのシナリオの例を説明するための図である。
【図９】本発明の一実施形態における、品物伝達サービスのためのシナリオの例を説明するための図である。
【図１０】本発明の一実施形態における、品物伝達サービスのためのシナリオの例を説明するための図である。
【図１１】本発明の一実施形態における、選択された受取人に関する情報を表示した画面の例を示した図である。
【図１２】本発明の一実施形態における、注文情報を表示した画面の例を示した図である。
【図１３】本発明の一実施形態における、注文情報による品物伝達が進行中であることを表示した画面の例を示した図である。
【図１４】本発明の一実施形態における、注文による品物伝達が完了したことを表示した画面の例を示した図である。
【図１５】本発明の一実施形態における、メッセージングサービスを通じて住所を要請し、住所が入力されたことを知らせる例を示した図である。
【図１６】本発明の一実施形態における、価格政策（Ｐｒｉｃｅ  ｐｏｌｉｃｙ）の例を説明するための図である。
【図１７】本発明の一実施形態における、サーバのサポート方法を示したフローチャートである。
【図１８】本発明の一実施形態における、要求者が差出人ではない場合のサーバのサポート方法を示したフローチャートである。
【図１９】本発明の一実施形態における、電子機器のサポート方法を示したフローチャートである。
【図２０】本発明の一実施形態における、要求者が差出人ではない場合の電子機器のサポート方法を示したフローチャートである。
【発明を実施するための形態】
【００１４】
以下、実施形態について、添付の図面を参照しながら詳しく説明する。
【００１５】
本発明の実施形態に係るサポートシステムは、以下で説明される電子機器および／またはサーバによって実現されてよく、本発明の実施形態に係るサポート方法は、上述した電子機器またはサーバによって実行されてよい。一実施形態において、電子機器は、電子機器で駆動するアプリケーションの制御にしたがって電子機器のためのサポート方法を実行してよい。上述したアプリケーションのようなコンピュータプログラムは、電子機器と結合してサポート方法を実行させるためにコンピュータで読み取り可能な記録媒体に格納されてよい。他の実施形態としては、メッセージングサービスを提供し、前記メッセージングサービスを通じてユーザ間のソーシャル関係網を管理するサーバが、前記サーバのためのサポート方法を実行することも可能である。
【００１６】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００１７】
複数の電子機器１１０、１２０、１３０、１４０は、コンピュータ装置によって実現される固定端末や移動端末であってよい。複数の電子機器１１０、１２０、１３０、１４０の例としては、スマートフォン、携帯電話、ナビゲーション、コンピュータ、ノート型パソコン、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレットなどがある。一例として、図１では、電子機器１（１１０）の例としてスマートフォンの形状を示しているが、本発明の実施形態では、実質的に無線または有線通信方式を利用し、ネットワーク１７０を介して他の電子機器１２０、１３０、１４０および／またはサーバ１５０、１６０と通信することのできる多様な機器のうちの１つを意味してよい。
【００１８】
通信方式が限定されることはなく、ネットワーク１７０が含むことのできる通信網（一例として、移動通信網、有線インターネット、無線インターネット、放送網）を活用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでもよい。さらに、ネットワーク１７０は、バスネットワーク、スターネットワーク、リングネットワーク、メッシュネットワーク、スター−バスネットワーク、ツリーまたは階層的（ｈｉｅｒａｒｃｈｉｃａｌ）ネットワークなどを含むネットワークトポロジのうちの任意の１つ以上を含んでもよいが、これらに限定されることはない。
【００１９】
サーバ１５０、１６０それぞれは、電子機器１１０、１２０、１３０、１４０とネットワーク１７０を介して通信して命令、コード、ファイル、コンテンツ、サービスなどを提供するコンピュータ装置または複数のコンピュータ装置によって実現されてよい。例えば、サーバ１５０は、ネットワーク１７０を介して接続する複数の電子機器１１０、１２０、１３０、１４０に第１サービスを提供するシステムであってもよいし、サーバ１６０も、ネットワーク１７０を介して接続する複数の電子機器１１０、１２０、１３０、１４０に第２サービスを提供するシステムであってよい。より具体的な例として、サーバ１５０は、第１サービスとして、メッセージングサービスを複数の電子機器１１０、１２０、１３０、１４０に提供するシステムであってよく、このようなメッセージングサービスにしたがって本発明の一実施形態に係るサポート方法を実行してよい。また、サーバ１６０は、第２サービスとして、品物伝達サービスを複数の電子機器１１０、１２０、１３０、１４０に提供するシステムであってよい。このようなサーバ１５０、１６０は、ネットワークを介して互いに連係して通信してよい。
【００２０】
図２は、本発明の一実施形態における、電子機器およびサーバの内部構成を説明するためのブロック図である。図２では、電子機器に対する例として電子機器１（１１０）の内部構成を説明し、さらにサーバ１５０の内部構成を説明する。また、他の電子機器１２０、１３０、１４０やサーバ１６０も、上述した電子機器１（１１０）またはサーバ１５０と同一または類似の内部構成を有してもよい。
【００２１】
電子機器１（１１０）とサーバ１５０は、メモリ２１１、２２１、プロセッサ２１２、２２２、通信モジュール２１３、２２３、および入力／出力インタフェース２１４、２２４を含んでよい。メモリ２１１、２２１は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記憶装置（ｐｅｒｍａｎｅｎｔ  ｍａｓｓ  ｓｔｏｒａｇｅ  ｄｅｖｉｃｅ）を含んでよい。ここで、ＲＯＭやディスクドライブのような永久大容量記憶装置は、メモリ２１１、２２１とは区分される、別の永久格納装置として電子機器１（１１０）やサーバ１５０に含まれてもよい。また、メモリ２１１、２２１には、オペレーティングシステムと、少なくとも１つのプログラムコード（一例として、電気機器１（１１０）にインストールされたアプリケーションなどのためのコード）が格納されてよい。このようなソフトウェア構成要素は、メモリ２１１、２２１とは別のコンピュータで読み取り可能な記録媒体からロードされてよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体を含んでよい。他の実施形態において、ソフトウェア構成要素は、コンピュータで読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１５０）がネットワーク１７０を介して提供するファイルによってインストールされるプログラム（一例として、上述したアプリケーション）に基づいてメモリ２１１、２２１にロードされてよい。
【００２２】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に格納されたプログラムコードにしたがって受信される命令を実行するように構成されてよい。
【００２３】
通信モジュール２１３、２２３は、ネットワーク１７０を介して電子機器１（１１０）とサーバ１５０とが互いに通信するための機能を提供してもよいし、電子機器１（１１０）および／またはサーバ１５０が他の電子機器（一例として、電子機器２（１２０））または他のサーバ（一例として、サーバ１６０）と通信するための機能を提供してもよい。一例として、電子機器１（１１０）のプロセッサ２１２がメモリ２１１のような記録装置に格納されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１（１１０）の通信モジュール２１３を通じて電子機器１（１１０）に受信されてもよい。例えば、通信モジュール２１３を通じて受信したサーバ１５０の制御信号や命令、コンテンツ、ファイルなどは、プロセッサ２１２やメモリ２１１に伝達されてよく、コンテンツやファイルなどは、電子機器１（１１０）がさらに含むことのできる格納媒体（上述した永久格納装置）に格納されてよい。
【００２４】
入力／出力インタフェース２１４は、入力／出力装置２１５とのインタフェースのための手段であってよい。例えば、入力装置は、キーボードまたはマウスなどの装置を含んでよく、出力装置は、ディスプレイのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１（１１０）と１つの装置で構成されてもよい。また、サーバ１５０の入力／出力インタフェース２２４は、サーバ１５０と連結するかサーバ１５０が含むことのできる入力または出力のための装置（図示せず）とのインタフェースのための手段であってよい。より具体的な例として、電子機器１（１１０）のプロセッサ２１２は、メモリ２１１にロードされたコンピュータプログラムの命令を処理するにあたり、サーバ１５０や電子機器２１２０が提供するデータを利用して構成されるサービス画面やコンテンツが、入力／出力インタフェース２１４を通じてディスプレイに表示されてよい。
【００２５】
また、他の実施形態において、電子機器１（１１０）およびサーバ１５０は、図２の構成要素よりも多くの構成要素を含んでもよい。しかし、大部分の従来技術的構成要素を明確に図に示す必要はない。例えば、電子機器１（１１０）は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１（１１０）がスマートフォンである場合、一般的にスマートフォンが含んでいる加速度センサやジャイロセンサ、カメラ、物理的な各種ボタン、タッチパネルを利用したボタン、入力／出力ポート、振動のための振動器などの多様な構成要素が電子機器１（１１０）にさらに含まれるように実現されてよい。
【００２６】
図３は、本発明の一実施形態における、サポートシステムの全体的な構成例を示した図である。図３は、要求者端末３１０、差出人端末３２０、受取人端末３３０、実行者端末３４０、メッセンジャサーバ３５０、品物伝達サービスサーバ３６０、およびソーシャル関係網データベース３７０を示している。
【００２７】
要求者端末３１０、差出人端末３２０、受取人端末３３０、および実行者端末３４０は、図２を参照しながら説明した電子機器１（１１０）のように実現されてよく、メッセンジャサーバ３５０および品物伝達サービスサーバ３６０は、図２を参照しながら説明したサーバ１５０のように実現されてよい。ソーシャル関係網データベース３７０は、メッセンジャサーバ３５０に含まれるように実現されてもよいし、メッセンジャサーバ３５０とは別のサーバ装置で実現され、メッセンジャサーバ３５０と別のサーバ装置とが互いに通信してソーシャル関係網データベース３７０にアクセスできるように実現されてもよい。このようなソーシャル関係網データベース３７０は、ユーザのソーシャルグラフを含むように実現されてよい。例えば、ユーザＡの友達のメッセンジャアカウントが、ユーザＡのメッセンジャアカウントと関連付けられてソーシャル関係網データベース３７０に登録されてよい。
【００２８】
要求者は、実施形態によっては、差出人であっても受取人であってもよい。この場合、要求者端末３１０は、差出人端末３２０あるいは受取人端末３３０であってよい。要求者の要求にしたがい、実行者が差出人の所有する品物を受取人に伝達することを基本的な要求事項として理解してよい。
【００２９】
他の実施形態において、差出人は、特定されなくてもよい。例えば、要求者が受取人であって、コンビニやスーパーマーケット、レストランなどで特定の商品や食べ物などの買い物を注文したとする。この場合、差出人端末３２０は必要なく、差出人の住所情報は要求されなくてもよい。
【００３０】
要求者は、要求者端末３１０を通じて要求者端末３１０にインストールされたメッセンジャアプリケーションを駆動させてメッセンジャサーバ３５０からメッセージングサービスの提供を受けてよく、このようなメッセージングサービス内で品物伝達サービスのための注文を処理してよい。例えば、要求者は、メッセンジャアプリケーションで提供される品物伝達サービスインタフェースを利用し、ソーシャル関係網で友達として登録されたユーザに関する情報の提供を受けてよい。これとは逆に、メッセンジャサーバ３５０は、メッセンジャアプリケーションを通じてアクセスする要求者端末３１０に、要求者の友達として登録されたユーザに関する情報（要求者のメッセンジャアカウントと関連付いて登録された他のユーザのメッセンジャアカウントに関する情報）をソーシャル関係網データベース３７０から抽出して要求者端末３１０に伝達してよい。このとき、要求者は、提供された情報に基づき、友達として登録されたユーザのうちから差出人および／または受取人を選択してよいが、この場合、メッセンジャサーバ３５０は、要求者端末３１０が選択した差出人および／または受取人に関する情報を受信し、受信された差出人および／または受取人にメッセージングサービスを通じて住所情報を要請してよい。
【００３１】
差出人および／または受取人は、メッセージングサービスを通じて要請された住所情報を、メッセージングサービスを通じて入力してよい。このとき、差出人および／または受取人は、差出人端末３２０および／または受取人端末３３０を利用し、住所情報をテキストで入力してもよいし、地図で特定の位置を設定することで位置情報をメッセンジャサーバ３５０に発送してもよい。このために、メッセンジャサーバ３５０は、メッセージングサービスを通じて差出人端末３２０および／または受取人端末３３０に地図情報を提供し、差出人および／または受取人が地図情報から特定の位置を選択できる機能を提供してよく、地図情報で選択された位置に関する情報は、差出人端末３２０および／または受取人端末３３０を通じて要請された住所情報として受信してよい。
【００３２】
差出人および／または受取人の住所情報が受信されると、メッセンジャサーバ３５０は、受信された差出人および／または受取人の住所情報と要求者からの要求事項情報（伝達するための品物に関する情報や、差出人、受取人、および／または要求者の連絡先情報など）を含む注文事項を伝達サービスサーバ３６０に要請してよい。この場合、品物伝達サービスサーバ３６０は、受信された住所情報（一例として、差出人および／または受取人の住所情報）によって識別される位置に基づき、要求者の要求を処理するための実行者（少なくとも１人の実行者）を選定してよく、選定された実行者の実行者端末３４０に要求者の注文事項を伝達してよい。実行者が実行者端末３４０を通じて要求者の注文事項に対する処理を受諾すると、実行者による品物伝達サービスが開始されてよく、実行者端末３４０を通じて配送状況に関する情報が品物伝達サービスサーバ３６０にアップデートされてよい。このような配送状況に関する情報は、品物伝達サービスサーバ３６０からメッセンジャサーバ３５０を通じて要求者端末３１０、差出人端末３２０、および／または受取人端末３３０に伝達されてよい。
【００３３】
実施形態によっては、品物伝達サービスサーバ３６０は、メッセンジャサーバ３５０に含まれた形態で実現されることも可能である。例えば、メッセンジャサーバ３５０が要求者の要求を処理するための実行者（少なくとも１人の実行者）を直接選定してよく、選定された実行者の実行者端末３４０に要求者の注文事項を伝達してもよい。また、実行者端末３４０の注文事項の処理のための受諾に対する応答や配送状況に関する情報のアップデートが、実行者端末３４０とメッセンジャサーバ３５０との通信によって行われてもよい。この場合、メッセンジャサーバ３５０と実行者端末３４０との通信も、メッセージングサービスを通じて行われてよい。
【００３４】
このように、要求者は、簡単かつ便利に差出人と受取人の住所情報を含む注文事項をメッセンジャサーバ３５０に登録することにより、注文事項に対する処理が自動的に行われるため、要求者が差出人および／または受取人の住所情報を入力しなければならないという不便を減らすことができ、ビジネス環境に応じて品物伝達サービスのための柔軟な対応が可能となる。
【００３５】
また、品物伝達サービスの利用による決済が、メッセンジャサーバ３５０が提供する簡便決済サービスによって処理されることも可能である。例えば、要求者が品物伝達サービスの利用によって生じた費用を支払わなければならない場合、メッセンジャサーバ３５０は、要求者と実行者間の簡便決済によって品物伝達サービスの利用による決済が成立するようにサービスを提供してよい。例えば、実行者は、品物の伝達が完了する前や品物の伝達が完了した後、メッセンジャサーバ３５０に品物伝達サービスの費用に関する情報を入力してよく、メッセンジャサーバ３５０は、入力された費用に関する情報に基づき、要求者端末３１０に該当の費用に対する簡便決済の処理を要求してよい。したがって、要求者と実行者の両方に、品物伝達サービスの利用による決済機能を簡単に提供することができるようになる。必要によっては、要求者ではなく、差出人や受取人に決済が要請される場合も考えられる。
【００３６】
図４は、本発明の一実施形態における、メッセージングサービス内で品物伝達サービスを選択する例を示した図である。図４は、メッセージングサービスのためのメッセンジャの画面４００の例を示しており、メッセージングサービスと連係する多様なサービスのうち、品物伝達サービスとの連係ための「ＯＯ  ＭＡＮ」アイコン４１０を示している。本実施形態と後述する他の実施形態では、メッセージングサービスの名称は「ＯＯ」とし、品物伝達サービスの名称は「ＯＯ  ＭＡＮ」とする。このような品物伝達サービスは、メッセージングサービスの下位サービスとして含まれてもよい。要求者が、このような「ＯＯ  ＭＡＮ」アイコン４１０を選択（一例として、タッチスクリーン環境で「ＯＯ  ＭＡＮ」アイコン４１０が表示された領域を指でタッチ）した場合、要求者の注文（ｏｒｄｅｒ）を入力するためのインタフェースと、差出人および／または受取人を選択するためのインタフェースが要求者に提供されてよい。このようなインタフェースは、メッセージングサービスの下位サービスとしてメッセンジャインタフェースを通じて要求者に提供されてもよいし、品物伝達サービスのための専用アプリケーション（一例として、以下で説明される「ＯＯ  ＭＡＮ  ＭＥＳＳＥＮＧＥＲ」）を通じて提供されてもよい。
【００３７】
図５は、本発明の一実施形態における、品物伝達サービスのための専用アプリケーションの例を説明するための図である。図５に示されたメッセンジャの画面５００の例は、図４のメッセンジャの画面４００と結合して１つのページを構成してもよい。例えば、メッセンジャの画面４００の下にメッセンジャの画面５００が繋がって１つのページが構成されてよい。このとき、メッセンジャの画面５００では、品物伝達サービスのための専用アプリケーションのインストールのための経路を提供する例として、「ＯＯ  ＭＡＮ」アプリケーションアイコン５１０と「ＯＯ  Ａｐｐｓ」アイコン５２０をそれぞれ示している。例えば、メッセンジャアプリケーションのユーザには、「ＯＯ  ＭＡＮ」アプリケーションのアイコン５１０を通じて品物伝達サービスのための専用アプリケーションをダウンロードするためのページが提供されてよい。また、ユーザには、「ＯＯ  Ａｐｐｓ」アイコン５２０を通じてメッセージングサービスと関連する多様なアプリケーション（品物伝達サービスのための専用アプリケーションを少なくとも含む、複数の互いに異なるアプリケーション）それぞれのダウンロードのためのページが提供されてよい。
【００３８】
品物伝達サービスのための専用アプリケーションも、メッセージングサービスと連動し、メッセージングサービス内のソーシャル関係網を活用して差出人および／または受取人を選択するための機能を含んでよく、選択された差出人および／または受取人にメッセージングサービスを通じて住所情報を要請し、住所情報が受信されるための機能を含んでよい。
【００３９】
メッセンジャサーバ３５０または品物伝達サービスサーバ３６０は、要求者、差出人、受取人、および実行者のうちの少なくとも１つの端末に距離情報（一例として、差出人と実行者間の距離、受取人と実行者間の距離、および実行者が品物を伝達するのに移動すると予想される全体距離のうちの少なくとも１つの距離に関する情報）、時間情報（一例として、差出人に実行者が訪問するまでかかる予想時間、受取人に実行者が訪問するまでかかる予想時間、および実行者が要求者の注文を処理するまでかかる全体予想時間のうちの少なくとも１つの時間に関する情報）、および料金情報のうちの少なくとも１つを提供してよい。
【００４０】
また、メッセンジャサーバ３５０または品物伝達サービスサーバ３６０は、決済者を設定するための機能および決済方法を設定するための機能のうちの少なくとも１つを提供してよい。決済者は、要求者、差出人、受取人のうちの少なくとも１人であってよく、デフォルトで受取人が設定されていてもよい。または、差出人と受取人が６：４の割合で費用を決済するなどのように、決済者が複数の決済者で設定されてもよい。決済方法は、現金、簡便決済、クレジットカード決済など、ビジネス環境に応じて適用できる多様な決済方法のうちの１つとして設定されてよい。
【００４１】
これだけでなく、要求者の要求が１つ以上である場合もある。例えば、要求者は、ユーザＡから品物ａを受け取ってユーザＢに伝達し、ユーザＢから品物ｃを受け取ってユーザＣに伝達するというように、２つ以上の要求が結合した注文を生成することもある。このために、メッセンジャサーバ３５０は、連続する複数の要求の入力を受けて１つの注文を生成するための機能を提供してもよい。例えば、メッセンジャサーバ３５０は、要求別に差出人と受取人を指定するようにし、複数の要求それぞれのための差出人と受取人を指定し、このような情報を１つの注文情報として生成して実行者に伝達してよい。
【００４２】
または、差出人と受取人間の片方向の伝達ではなく、往復伝達（ｒｏｕｎｄ  ｔｒｉｐ）が要求されることもある。例えば、差出人から品物ａを受け取って受取人に伝達した後、受取人から品物ｂを受け取って差出人に伝達しなければならない場合が存在する。このために、メッセンジャサーバ３５０は、往復伝達の可否に関する情報を、要求者、差出人、受取人、および実行者のうちの少なくとも１つの端末にさらに提供してもよい。
【００４３】
図６〜図１０は、本発明の一実施形態における、品物伝達サービスのためのシナリオの例を説明するための図である。本実施形態に係るシナリオは、要求者が差出人（Ｓｅｎｄｅｒ）である場合の例について説明している。
【００４４】
図６のメイン画面６１０は、品物伝達サービスのための最初の画面例を示している。メイン画面６１０は、品物伝達サービスのための専用アプリケーションの画面であってもよいし、メッセンジャアプリケーションと連動する品物伝達サービスの画面であってもよい。このようなメイン画面６００は、メッセージングサービスとの連動のためのインタフェース（一例として、図６の「Ｇｅｔ  Ｓｔａｒｔｅｄ  ｉｎ  ＯＯ」が表示された領域に設定されるリンク）を含んでよい。このようなインタフェースは、メッセージングサービスにおけるユーザのソーシャル関係網情報などを品物伝達サービスで活用するための同意や、ユーザのメッセージングサービスでのアカウントを識別するための情報などを入力するための機能に連結してよく、メッセージングサービスと品物伝達サービスとの連動により、品物伝達サービスでメッセージングサービスが管理するユーザに関する情報やユーザのアカウントと連係するソーシャル関係網を活用することができるようになる。また、メッセージングサービスと品物伝達サービスが、１つのアカウントによって同じユーザを識別できるようにしてもよい。例えば、品物伝達サービスで選択されたアカウントにメッセージングサービスが通知メッセージを送信することができるようになる。
【００４５】
図７の第１位置設定画面７００は、要求者である差出人（Ｓｅｎｄｅｒ）が地図上で自身の位置を設定するための画面例を示している。差出人の位置は、差出人端末３２０の現在位置であってもよいし、差出人が地図の上で直接設定した位置であってもよいし、差出人が検索語によって検索した位置または差出人がテキストで直接入力した住所による位置であってもよい。上述したように、設定された位置情報は、メッセンジャサーバ３５０に伝達されてよい。
【００４６】
図８の第２位置設定画面８１０、８２０は、ユーザが入力した検索語によって提供された位置検索結果のうちから差出人が選択した位置検索結果（第２位置設定画面８１０、８２０の例では位置検索結果１）が、差出人の位置として設定される例を示している。ここで、位置検索結果は、特定のランドマークおよび／または住所情報を含んでよい。
【００４７】
このように、差出人は、自身の現在位置、または地図上で自身が設定した位置、または検索語を用いた検索結果によって選択された位置を、差出人の位置として設定することができる。
【００４８】
図９の第１友達検索画面９１０は、差出人の登録された友達を表示した例を示しており、第２友達検索画面９２０は、差出人の登録された友達のうち、入力された検索語に対応する友達を表示した例を示している。ここで、表示された友達は、メッセージングサービスにおいて、差出人のメッセンジャアカウントと関連付いて登録された他のユーザのメッセンジャアカウントに対応してよい。例えば、図９の画面９１０、９２０は、品物伝達サービスのための専用アプリケーションのサービス画面であってよく、専用アプリケーションは、品物伝達サービスと連動するメッセージングサービスから差出人のメッセンジャアカウントと関連付いて登録された差出人の友達のメッセンジャアカウントに関する情報を取得して第１友達検索画面９１０に表示してよい。このように、本実施形態に係る差出人は、品物送信サービスを利用して品物送信に関する注文を入力するときに、受取人に関する情報を直接入力する必要がなく、連動するメッセージングサービスでのメッセンジャアカウントのうちの１つを選択する方式によって受取人を選択してよい。
【００４９】
この場合、選択された受取人には、品物の受取場所に関する位置情報の提供を要請するための情報が提供されてよい。例えば、メッセージングサービスを通じて受取人に位置設定メッセージが送信されてよい。このような位置設定メッセージは、受取人に位置の設定機能を提供するためのリンクを含んでよい。受取人には、位置設定メッセージに含まれるリンクを通じて位置の設定機能が提供されてよく、提供された設定機能を利用して受取場所に関する位置情報を設定してよい。設定された位置情報は、受取場所に関する位置情報としてメッセンジャサーバ３５０に提供されてよく、差出人の注文と関連付けて受取場所として登録されてよい。
【００５０】
図１０の第３位置設定画面１０００は、受取人が地図で受取場所に関する位置を設定する例を示した図である。実施形態によっては、図８でも説明と同じように、受取人も、位置検索結果を利用して受取場所に関する位置を設定してもよいし、受取人が所持する受取人端末３３０の現在位置を受取場所に関する位置として設定してもよい。
【００５１】
このとき、受取人は、差出人および／または要求者であってよい。例えば、要求者がコンビニの商品ａを自身に伝達するように要求する注文が考えられる。この場合、受取人は要求者となり、差出人は省略される。または、差出人、受取人、および要求者がすべて同一人物である場合も考えられる。
【００５２】
図１１は、本発明の一実施形態における、選択された受取人に関する情報を表示した画面例を示した図である。図１１の画面１１００は、選択された受取人が受取場所に関する位置情報を設定することにより、設定された位置情報を表示した例を示している。差出人の注文は、選択された受取人が受取場所に関する位置情報を設定した後に開始されてよい。
【００５３】
図１２は、本発明の一実施形態における、注文情報を表示した画面の例を示した図である。図１２の注文進行画面１２００は、差出人が要求する注文に関し、距離に関する情報、予想時間に関する情報、および伝達費用に関する情報を表示した例を示している。この場合、距離とは、基本的には品物の発送位置から受取位置までの距離を意味してよく、実際の注文の内容に応じて変更されてもよい。例えば、ユーザＡの品物ａをユーザＢに伝達した後、ユーザＢの品物ｂをユーザＡに伝達する注文の場合、品物の発送位置から受取位置までの往復距離が注文の距離となる。また、予想時間と伝達費用は、このような距離または注文が成立する時間帯に応じて設定されてよい。
【００５４】
このような距離に関する情報、予想時間に関する情報、および伝達費用に関する情報は、要求者端末３１０にインストールされたアプリケーションで計算されてもよいし、メッセンジャサーバ３５０で計算されて要求者端末３１０に伝達されてもよい。
【００５５】
これに加え、注文進行画面１２００は、価格政策に関する情報、差出人に関する情報（名前、電話番号、および／または住所情報）と受取人に関する情報（名前、電話番号、および／または住所情報）、または伝達費用を支払う主体などをさらに表示してよい。このとき、差出人および受取人に関する情報の名前と電話番号は、メッセージングサービスで差出人のアカウントと受取人のアカウントに対して登録された名前と電話番号であってよい。他の実施形態として、差出人および受取人に関する情報の名前と電話番号は、差出人や受取人によって直接入力された名前と電話番号を含んでもよい。例えば、差出人および／または受取人が住所情報を直接入力して設定する場合には、住所情報を入力するためのページが差出人および／または受取人に提供されてよい。この場合、このようなページは、差出人および／または受取人の名前および電話番号を直接入力することのできる機能をさらに含んでよい。
【００５６】
また、伝達費用を支払う主体に関する情報は、一例として、伝達費用の支払いが現金でなされる場合には、実行者が差出人（本実施形態では要求者）と受取人のうちのどちらから伝達費用を受け取らなければならないかを示してよい。価格政策の例については、図１６を参照しながらさらに詳しく説明する。
【００５７】
図１３は、本発明の一実施形態における、注文情報による品物伝達が進行中であることを表示した画面例を示した図である。図１３の注文画面１３００は、差出人からの注文が要請された後、品物伝達の過程が進行中であることを指示する情報１３１０が表示された例を示している。このとき、該当の注文画面１３００には、受取人や実行者と電話通話を連結するためのインタフェースが提供されてもよい。図１３の実施形態では、実行者との電話通話を連結するためのインタフェース１３２０を示している。ユーザがインタフェース１３２０を選択（一例として、タッチスクリーン環境でインタフェース１３１０が表示された領域を指でタッチ）した場合、差出人の注文を受託した実行者の電話番号との電話通話が行われてよい。例えば、品物伝達サービスサーバ３６０は、差出人の注文が要請されることによって受取人を選択してよく、選択された受取人の端末３４０には、差出人に関する情報と受取人に関する情報、さらに注文関連情報を伝達してよい。このとき、選択された受取人の電話番号がメッセンジャサーバ３５０に伝達されてよく、メッセンジャサーバ３５０は、差出人端末３２０にインストールされたアプリケーションとの連動により、差出人端末３２０の注文画面１３００で選択された受取人の電話番号との電話通話を連結するためのインタフェース１３２０が表示されるように制御してよい。
【００５８】
図１４は、本発明の一実施形態における、注文による品物伝達が完了したことを表示した画面例を示した図である。図１４の注文画面１４００は、品物伝達が完了したことを指示する情報１４１０が表示された例を示している。例えば、実行者は、注文された品物の伝達を終えた後、実行者端末３４０を通じて品物の伝達が完了したことを品物伝達サービスサーバ３６０に知らせてよく、このような通知がメッセンジャサーバ３５０に伝達されてよい。このような通知に基づき、図１４の注文画面１４００のように、差出人端末３２０のアプリケーションには品物伝達が完了したことを指示する情報１４１０が表示されてよい。このとき、図１４の注文画面１４００にも、受取人や実行者との電話通話を連結するためのインタフェースが提供されてよい。図１４の実施形態では、実行者との電話通話を連結するためのインタフェース１４２０を示している。
【００５９】
図１２〜図１４は、品物伝達サービスにてメッセージングサービスと連動して差出人が品物の発送位置を設定し、受取人を選択し、選択された受取人が受取位置を選択することにより、発送位置から受取位置まで品物が伝達されるという基本的なインタフェースについて説明した。しかし、要求者が差出人でない場合や往復運送のように追加の条件が要求される実施形態についても、追加の条件を設定することのできる機能を提供することによって品物伝達サービスの提供が可能となることは、当業者であれば容易に理解できるであろう。
【００６０】
図１５は、本発明の一実施形態における、メッセージングサービスを通じて住所を要請し、住所が入力されたことを知らせる例を示した図である。住所のような位置情報の要求は、メッセージングサービスを通じてインスタントメッセージ形態で差出人および／または受取人に伝達されてよく、差出人および／または受取人には、インスタントメッセージが含むリンクを通じて詳細住所を入力するための機能が提供されてよい。
【００６１】
図１５の第１画面１５１０は、受取人に位置情報の入力を要求するためのインスタントメッセージの例を示している。このようなインスタントメッセージは、品物伝達サービスと関連して詳細住所を入力するためのユーザインタフェース（または、このようなユーザインタフェースが含まれたページ）へのリンクを含んでよい。受取人が該当のインスタントメッセージを選択すると、このようなユーザインタフェース（または、このようなユーザインタフェースが含まれたページ）が受取人に提供されてよい。また、第１画面１５１０で「Ｓｈａｒｅ  ｌｏｃａｔｉｏｎ」は、受取人端末３３０の現在位置（一例として、ＧＰＳ座標）を共有して受取場所の位置を設定するための機能を含んでよい。例えば、受取人が「Ｓｈａｒｅ  ｌｏｃａｔｉｏｎ」を選択した場合、受取人端末３３０の現在位置がメッセンジャサーバ３５０に伝達されてよい。
【００６２】
また、図１５の第２画面１５２０は、受取人が位置情報を入力したことを要求者に知らせるためのインスタントメッセージの例を示している。ここで、「Ｐｌａｃｅ  Ｏｒｄｅｒ」は、注文を進めるための機能を含んでよい。例えば、要求者が「Ｐｌａｃｅ  Ｏｒｄｅｒ」を選択した場合、図１２の注文進行画面１２００が要求者（図１２の実施形態では差出人）に提供されてよい。
【００６３】
図１６は、本発明の一実施形態における、価格政策の例を説明するための図である。図１６は、価格政策の例として、基本費用と距離による追加費用との合計によって伝達費用が決定されることを知らせるための情報を示している。このような伝達費用は、最小費用であってよく、時間帯による追加費用を有してよい。
【００６４】
図１７は、本発明の一実施形態における、サーバのサポート方法を示したフローチャートである。本実施形態に係るサポートシステムは、上述したサーバ１５０のようなコンピュータ装置の形態で実現されてよく、上述したメッセンジャサーバ３５０に対応してよい。ここで、サポートシステムは、図１７のサポート方法が含むステップ１７１０〜ステップ１７９０を実行してよい。例えば、サーバ１５０が含むプロセッサ２２２は、メモリ２２１が含むオペレーティングシステムのコードや少なくとも１つのプログラムのコードによる制御命令（ｉｎｓｔｒｕｃｔｉｏｎ）を実行するように実現されてよい。ここで、プロセッサ２２２は、サーバ１５０に格納されたコードが提供する制御命令にしたがってサーバ１５０が図１７のステップ１７１０〜ステップ１７９０を実行するようにサーバ１５０を制御してよい。
【００６５】
ステップ１７１０で、サポートシステムは、ユーザのソーシャル関係網に関する情報を管理してよい。ソーシャル関係網に関する情報は、互いに人脈関係が設定されたユーザのメッセンジャアカウントに関する情報を含んでよい。例えば、ユーザＡのメッセンジャアカウントとユーザＡの友達として登録された他のユーザのメッセンジャアカウントが互いに関連付いて格納および管理されてよい。上述したように、このようなソーシャル関係網に関する情報は、ソーシャル関係網データベース３７０に格納されてよい。
【００６６】
ステップ１７２０で、サポートシステムは、品物の伝達を要求する要求者から品物の発送位置の設定を受けてよい。例えば、図７の説明では、差出人（ｓｅｎｄｅｒ）の位置情報が設定される例について説明した。要求者が差出人である場合、サポートシステムは、要求者が設定した位置情報が品物の発送位置として設定されてよい。位置情報は、要求者の端末の現在位置、要求者が要求者の端末で検索した位置検索結果、要求者が要求者の端末で地図サービスを通じて端末の画面に表示された地図上で選択した位置、および要求者が要求者の端末で入力したテキストのうちの少なくとも１つを利用して設定されてよい。要求者の端末は、上述した要求者端末３１０に対応してよい。
【００６７】
ステップ１７３０で、サポートシステムは、要求者のメッセンジャアカウントと関連付いてソーシャル関係網に登録された他のユーザのメッセンジャアカウントに関する情報を提供してよい。このようなメッセンジャアカウントに関する情報は、要求者が登録された友達のから受取人を選択するようにサポートするために要求者の端末に提供されてよい。
【００６８】
ステップ１７４０で、サポートシステムは、提供されたメッセンジャアカウントのうちから選択されたメッセンジャアカウントを受取人のメッセンジャアカウントとして確認してよい。例えば、要求者の端末には、提供されたメッセンジャアカウントが表示されてよく、要求者は、表示されたメッセンジャアカウントのうちの１つを受取人のメッセンジャアカウントとして選択してよい。この場合、要求者の端末は、選択されたメッセンジャアカウントをサポートシステムに送信してよく、サポートシステムは、受信されたメッセンジャアカウントを受取人のメッセンジャアカウントとして確認してよい。
【００６９】
ステップ１７５０で、サポートシステムは、メッセージングサービスを利用して受取人のメッセンジャアカウントとの会話セッションを設定し、設定された会話セッションを通じて受取人に品物の受取位置の設定を要請する要請メッセージを送信してよい。図１５の説明では、このような要請メッセージの例について説明した。受取人には、要請メッセージが含むリンクを通じて受取位置を設定するための機能が提供されてよい。受取位置は、受取人の端末の現在位置、受取人が受取人の端末で検索した位置検索結果、受取人が受取人の端末で地図サービスを通じて端末の画面に表示された地図上で選択した位置、および受取人が受取人の端末で入力したテキストのうちの少なくとも１つを利用して設定されてよい。受取人の端末は、上述した受取人端末３３０に対応してよい。
【００７０】
ステップ１７６０で、サポートシステムは、受取位置の設定に応答し、要求者のメッセンジャアカウントとの会話セッションを設定し、設定された会話セッションを通じて受取位置が設定されたことを知らせるための通知メッセージを送信してよい。図１５の説明では、このような通知メッセージの例について説明した。受取人から受取位置が設定された後、要求者は、要求者が設定した発送位置と受取人が設定した受取位置に基づいて品物の伝達のための注文を要請してよい。
【００７１】
ステップ１７７０で、サポートシステムは、発送位置と受取位置に基づいて生成された注文情報を品物の伝達を実行する実行者に提供してよい。このような注文情報は、要求者の注文の要請に応じて生成されてよく、少なくとも発送位置と受取位置を含んでよい。実施形態によっては、注文情報には、伝達が要請された品物の種類や重さ、伝達希望時刻などのように、要求者から入力される詳細的な情報や条件がさらに含まれてもよい。このような注文情報は、サポートシステムによって実行者の端末に直接伝達されてもよいが、上述した品物伝達サービスサーバ３６０のように、既存の品物伝達サービスのための別のサーバから実行者の端末に伝達されてもよい。実行者の端末は、上述した実行者端末３４０に対応してよい。
【００７２】
また、注文情報は、品物の伝達のための費用を負担する主体に関する情報をさらに含んでよい。例えば、要求者は、注文ページで、品物の伝達のための費用を負担する主体が、要求者（差出人）および受取人のどちらであるかを決定してよい。他の実施形態では、要求者（差出人）および受取人が一定の割合で品物の伝達のための費用を分担して負担してもよい。要求者と差出人が互いに異なる場合の実施形態では、要求者、差出人、および受取人のうちの１人が品物の伝達のための費用を負担してもよいし、要求者、差出人、および受取人のうちの２人以上が品物の伝達のための費用を分担して負担してもよい。また、注文情報は、決済方法に関する情報をさらに含んでもよい。一例として、決済方法は、現金、簡便決済、クレジットカード決済など、ビジネス環境に応じて適用できる多様な決済方法のうちの１つが活用されてよい。
【００７３】
ステップ１７８０で、サポートシステムは、品物の伝達完了に関する情報を、受取人の端末、実行者の端末、および品物伝達サービスサーバのうちの少なくとも１つから受信してよい。一例として、実行者は、品物を受取位置に伝達した後、実行者の端末を通じて品物の伝達完了に関する情報をサポートシステムまたは品物伝達サービスサーバに送信してよい。このとき、サポートシステムは、実行者の端末から直接に、あるいは品物伝達サービスサーバを経て、品物の伝達完了に関する情報を受信してよい。他の実施形態として、品物の伝達完了に関する情報は、受取人が受取人の端末を通じて品物の伝達完了に関する情報をサポートシステムまたは品物伝達サービスサーバに送信してもよい。この場合、サポートシステムは、受取人の端末から直接に、あるいは品物伝達サービスサーバを経て、品物の伝達完了に関する情報を受信してよい。ここで、品物伝達サービスサーバは、上述した品物伝達サービスサーバ３６０に対応してよい。
【００７４】
ステップ１７９０で、サポートシステムは、要求者に品物の伝達完了に関する情報を伝達してよい。図１４の説明では、注文画面１４００に品物の伝達完了に関する情報を表示した例について説明した。また、このような品物の伝達完了に関する情報は、メッセージングサービスで設定された要求者のメッセンジャアカウントとの会話セッションを通じてインスタントメッセージの形態で要求者に伝達されてもよい。
【００７５】
図１８は、本発明の一実施形態における、要求者が差出人ではない場合のサーバのサポート方法を示したフローチャートである。図１８のステップ１８１０〜ステップ１８８０も、図１７で説明したサポートシステムによって実行されてよい。図１７の実施形態に係るサポート方法が、要求者が差出人である場合のサポートシステムの動作について説明している反面、図１８の実施形態に係るサポート方法は、要求者と差出人が互いに異なる場合のサポートシステムの動作について説明している。
【００７６】
ステップ１８１０で、サポートシステムは、ユーザのソーシャル関係網に関する情報を管理してよい。このようなステップ１８１０は、図１７のステップ１７１０に対応してよい。
【００７７】
ステップ１８２０で、サポートシステムは、要求者のメッセンジャアカウントと関連付いてソーシャル関係網に登録された他のユーザのメッセンジャアカウントに関する情報を提供してよい。このようなステップ１８２０は、図１７のステップ１７３０に対応してよい。
【００７８】
ステップ１８３０で、サポートシステムは、提供されたメッセンジャアカウントのうちから選択された差出人のメッセンジャアカウントと受取人のメッセンジャアカウントを確認してよい。上述したように、要求者が差出人ではないため、要求者は、メッセージングサービスのソーシャル関係網を活用し、受取人だけではなく差出人も選択してよい。
【００７９】
ステップ１８４０で、サポートシステムは、メッセージングサービスを利用して差出人のメッセンジャアカウントとの会話セッションおよび受取人のメッセンジャアカウントとの会話セッションをそれぞれ設定し、設定された会話セッションを通じて、差出人には品物の発送位置の設定を要請する要請メッセージを、受取人には品物の受取位置の設定を要請する要請メッセージをそれぞれ送信してよい。差出人が発送位置を設定する方法は、受取人が受取位置を設定する方法と同じであってよい。
【００８０】
ステップ１８５０で、サポートシステムは、発送位置と受取位置の設定に応答し、要求者のメッセンジャアカウントとの会話セッションを設定し、設定された会話セッションを通じて発送位置と受取位置が設定されたことを知らせるための通知メッセージを送信してよい。要求者が発送位置を設定する図１７の実施形態とは異なり、図１８の実施形態では、要求者と差出人が互いに異なるため、発送位置と受取位置の両方が設定された後に注文が要請されてよい。したがって、図１８の実施形態では、発送位置と受取位置の両方が設定された後、これを知らせるための通知メッセージが要求者に送信されてよい。
【００８１】
以後のステップ１８６０〜１８８０は、図１７のステップ１７７０〜ステップ１７９０に対応するため、繰り返される説明は省略する。
【００８２】
図１９は、本発明の一実施形態における、電子機器のサポート方法を示したフローチャートである。本実施形態に係るサポートシステムは、上述した電子機器１（１１０）のようなコンピュータ装置の形態で実現されてよく、上述した要求者端末３１０に対応してよい。ここで、サポートシステムは、図１９のサポート方法が含むステップ１９１０〜ステップ１９９０を実行してよい。例えば、電子機器１（１１０）が含むプロセッサ２１２は、メモリ２１１が含むオペレーティングシステムのコードや少なくとも１つのプログラムのコードによる制御命令（ｉｎｓｔｒｕｃｔｉｏｎ）を実行するように実現されてよい。ここで、プロセッサ２１２は、電子機器１（１１０）に格納されたコードが提供する制御命令にしたがって電子機器１（１１０）が図１９のステップ１９１０〜ステップ１９９０を実行するように電子機器１（１１０）を制御してよい。
【００８３】
ステップ１９１０で、サポートシステムは、要求者から品物の発送位置に対する入力を受けてメッセンジャサーバに登録してよい。例えば、図７では、差出人である要求者が発送位置を設定する例について説明した。このような発送位置は、要求者端末３１０の現在位置、要求者端末３１０で検索語によって検索した位置検索結果のうちから選択した位置検索結果の位置、要求者端末３１０で地図サービスを通じて画面に表示された地図上で選択された位置、または要求者がテキストで直接入力した住所による位置のうちの少なくとも１つを含んでよい。本実施形態において、メッセンジャサーバは、上述したメッセンジャサーバ３５０に対応してよい。
【００８４】
ステップ１９２０で、サポートシステムは、要求者のメッセンジャアカウントと関連付いてメッセージングサービスに登録された他のユーザのメッセンジャアカウントに関する情報を受信してよい。上述では、ソーシャル関係網で、このようなメッセンジャアカウントが互いに関連付いて管理されることについて説明した。サポートシステムは、メッセンジャサーバを通じてこのようなメッセンジャアカウントに関する情報を受信してよい。
【００８５】
ステップ１９３０で、サポートシステムは、受信されたメッセンジャアカウントに関する情報を画面に表示してよい。図９の説明では、メッセンジャアカウントを画面に表示した例について説明した。
【００８６】
ステップ１９４０で、サポートシステムは、表示されたメッセンジャアカウントのうちの１つを要求者が選択するための機能を提供してよい。例えば、タッチスクリーン環境において、要求者は、画面に表示されたメッセンジャアカウントのうち、希望するメッセンジャアカウントが表示された領域を指でタッチしてよい。この場合、サポートシステムは、指でタッチされた位置に対応するメッセンジャアカウントを要求者が選択したメッセンジャアカウントとして認識してよい。また、図９の実施形態で説明したように、サポートシステムは、要求者が入力した検索語によって対応するメッセンジャアカウントを別に表示してもよい。
【００８７】
ステップ１９５０で、サポートシステムは、提供された機能を利用してメッセンジャアカウントのうちから選択されたメッセンジャアカウントを受取人のメッセンジャアカウントとしてメッセンジャサーバに送信してよい。この場合、メッセンジャサーバは、受取人のメッセンジャアカウントに受取位置の設定を要請するための要請メッセージを送信してよい。要請メッセージは、メッセージングサービスで設定される会話セッションを通じて受取人の端末に送信されてよく、受取人に受取位置を設定するための機能を提供してよい。位置設定のための技術については既に説明したため、繰り返される説明は省略する。
【００８８】
ステップ１９６０で、サポートシステムは、メッセンジャサーバで受取人のメッセンジャアカウントに基づいて受取人に要請した受取位置が設定されたことを知らせる通知メッセージをメッセンジャサーバから受信してよい。メッセンジャサーバは、受取人が受取位置を設定した場合、このような設定を知らせるための通知メッセージを送信してよく、これによってサポートシステムは、メッセンジャサーバから通知メッセージを受信してよい。通知メッセージは、要求者のメッセンジャアカウントとの会話セッションを通じて送信されてよい。
【００８９】
ステップ１９７０で、サポートシステムは、発送位置と受取位置に基づいてメッセンジャサーバに品物の伝達のための注文を要請してよい。実施形態によっては、注文の要請のための情報は、品物の伝達のための費用を負担する主体に関する情報をさらに含んでよい。例えば、要求者は、注文ページで、品物の伝達のための費用を負担する主体が要求者（差出人）および受取人のどちらであるかを決定してよい。他の実施形態では、要求者（差出人）および受取人が一定の割合で品物の伝達のための費用を分担して負担してもよい。要求者と差出人が互いに異なる場合の実施形態では、要求者、差出人、および受取人のうちの１人が品物の伝達のための費用を負担してもよいし、要求者、差出人、および受取人のうちの２人以上が品物の伝達のための費用を分担して負担してもよい。また、注文情報は、決済方法に関する情報をさらに含んでもよい。一例として、決済方法は、現金、簡便決済、クレジットカード決済など、ビジネス環境に応じて適用できる多様な決済方法のうちの１つが活用されてよい。
【００９０】
メッセンジャサーバは、このような注文の要請に応じて注文情報を生成して実行者に提供してよく、実行者は、このような注文情報に基づいて品物の伝達を行ってよい。
【００９１】
ステップ１９８０で、サポートシステムは、発送位置と受取位置に基づいた距離情報、距離情報に基づいた予測時間、および距離情報に基づいた伝達費用のうちの少なくとも１つに関する情報を含む注文ページを画面に表示してよい。このとき、注文ページは、品物の伝達に対する進行過程に関する情報、および品物の伝達を実行する実行者との電話通話連結のためのユーザインタフェースをさらに含んでよい。
【００９２】
ステップ１９９０で、サポートシステムは、品物の伝達完了に関する情報をメッセンジャサーバから受信して画面に表示してよい。上述したように、品物の伝達が完了した後、実行者または受取人は、品物の伝達が完了したことをメッセンジャサーバに知らせてよい。他の実施形態では、このような完了に関する情報は、品物伝達サービスサーバを経てメッセンジャサーバに伝達されてもよい。この場合、メッセンジャサーバは、このような完了に関する情報をサポートシステムに送信してよく、サポートシステムは、完了に関する情報を受信して画面に表示することにより、要求者に品物の伝達が完了したことを知らせてよい。
【００９３】
図２０は、本発明の一実施形態における、要求者が差出人ではない場合の電子機器のサポート方法を示したフローチャートである。図２０のステップ２０１０〜ステップ２０８０も、図１９で説明したサポートシステムによって実行されてよい。図１９の実施形態に係るサポート方法が、要求者が差出人である場合のサポートシステムの動作について説明している反面、図２０の実施形態に係るサポート方法は、要求者と差出人が互いに異なる場合のサポートシステムの動作について説明している。
【００９４】
ステップ２０１０で、サポートシステムは、要求者のメッセンジャアカウントと関連付いてメッセージングサービスに登録された他のユーザのメッセンジャアカウントに関する情報を受信してよい。このようなステップ２０１０は、図１９の実施形態で説明したステップ１９２０に対応してよい。
【００９５】
ステップ２０２０で、サポートシステムは、受信されたメッセンジャアカウントに関する情報を画面に表示してよい。このようなステップ２０２０は、図１９の実施形態で説明したステップ１９３０に対応してよい。
【００９６】
ステップ２０３０で、サポートシステムは、表示されたメッセンジャアカウントのうちの少なくとも１つを要求者が選択するための機能を提供してよい。このようなステップ２０３０は、図１９の実施形態で説明したステップ１９４０に対応してよい。
【００９７】
ステップ２０４０で、サポートシステムは、提供された機能を利用してメッセンジャアカウントのうちから選択された差出人のメッセンジャアカウントと受取人のメッセンジャアカウントをメッセンジャサーバに送信してよい。図１９の実施形態とは異なり、本実施形態では、要求者と差出人が互いに異なるため、要求者は、受取人だけではなく差出人のメッセンジャアカウントをさらに選択してよく、差出人と受取人のメッセンジャアカウントがメッセンジャサーバに送信されてよい。
【００９８】
ステップ２０５０で、サポートシステムは、メッセンジャサーバで差出人のメッセンジャアカウントに基づいて差出人に要請した発送位置および受取人のメッセンジャアカウントに基づいて受取人に要請した受取位置が設定されたことを知らせる通知メッセージをメッセンジャサーバから受信してよい。メッセンジャサーバは、差出人のメッセンジャアカウントを通じて差出人に品物の発送位置を要請してよく、受取人のメッセンジャアカウントを通じて受取人に品物の受取位置を要請してよい。このような要請のための要請メッセージは、メッセージングサービスを利用して設定される会話セッションを通じて差出人と受取人それぞれに伝達されてよく、位置設定のための機能へのリンクを含んでよい。差出人が発送位置を、受取人が受取位置をそれぞれ設定した場合、メッセンジャサーバは、このような位置の設定を知らせるための通知メッセージをサポートシステムに送信してよい。
【００９９】
以後のステップ２０６０〜ステップ２０８０は、図１９のステップ１９７０〜ステップ１９９０に対応するため、繰り返される説明は省略する。
【０１００】
このように、本発明の実施形態によると、メッセージングサービスと品物伝達サービス間の連係により、メッセージングサービス内のソーシャル関係網を利用して品物伝達に関する品物伝達の要求者が所望する情報（一例として、差出人および／または受取人の住所、位置、および／または連絡先）を簡単かつ便利に収集し、品物伝達サービスで伝達できるようにサポートすることができる。
【０１０１】
上述したシステムまたは装置は、ハードウェア構成要素、ソフトウェア構成要素、またはハードウェア構成要素とソフトウェア構成要素との組み合わせによって実現されてよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）および前記ＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【０１０２】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、仮想装置、コンピュータ格納媒体または装置に具現化されてよい。ソフトウェアは、ネットワークによって接続されたコンピュータシステム上に分散され、分散された状態で格納されても実行されてもよい。ソフトウェアおよびデータは、１つ以上のコンピュータで読み取り可能な記録媒体に格納されてもよい。
【０１０３】
実施形態に係る方法は、多様なコンピュータ手段によって実行可能なプログラム命令の形態で実現されてコンピュータで読み取り可能な媒体に記録されてよい。前記コンピュータで読み取り可能な媒体は、プログラム命令、データファイル、データ構造などを単独でまたは組み合わせて含んでよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピー（登録商標）ディスク、および磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。
【０１０４】
以上のように、実施形態を、限定された実施形態と図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【０１０５】
したがって、異なる実施形態であっても、特許請求の範囲と均等なものであれば、添付される特許請求の範囲に属する。
【符号の説明】
【０１０６】
３１０：要求者端末
３２０：差出人端末
３３０：受取人端末
３４０：実行者端末
３５０：メッセンジャサーバ
３６０：品物伝達サービスサーバ
３７０：ソーシャル関係網データベース
【図１】
2018097878.tif 000003
【図２】
2018097878.tif 000004
【図３】
2018097878.tif 000005
【図４】
2018097878.tif 000006
【図５】
2018097878.tif 000007
【図６】
2018097878.tif 000008
【図７】
2018097878.tif 000009
【図８】
2018097878.tif 000010
【図９】
2018097878.tif 000011
【図１０】
2018097878.tif 000012
【図１１】
2018097878.tif 000013
【図１２】
2018097878.tif 000014
【図１３】
2018097878.tif 000015
【図１４】
2018097878.tif 000016
【図１５】
2018097878.tif 000017
【図１６】
2018097878.tif 000018
【図１７】
2018097878.tif 000019
【図１８】
2018097878.tif 000020
【図１９】
2018097878.tif 000021
【図２０】
2018097878.tif 000022